(57)【要約】【課題】より汎用に使用可能なベースボードを提供する。【解決手段】前記横断面の第１の端部領域（２）における第１の輪郭（４）が、対称点（８）を中心として１８０°回転させると、第２の端部領域（３）における第２の輪郭（５）に相当し、前記横断面の第１の端部領域（２）における第２の輪郭（５）が、対称点（８）を中心として１８０°回転させると、第２の端部領域（３）における第１の輪郭（３）に相当するようにした。【選択図】図１
2010112165.tif 000002
【特許請求の範囲】
【請求項１】
被覆材の縁をカバーするためのベースボードであって、該ベースボード（１）が、第１の輪郭（４）及び該第１の輪郭（４）とは反対側に位置する第２の輪郭（５）を備える横断面を有する形式のものにおいて、前記横断面の第１の端部領域（２）における第１の輪郭（４）が、対称点（８）を中心として１８０°回転させると、第２の端部領域（３）における第２の輪郭（５）に相当し、前記横断面の第１の端部領域（２）における第２の輪郭（５）が、対称点（８）を中心として１８０°回転させると、第２の端部領域（３）における第１の輪郭（４）に相当することを特徴とする、被覆材の縁をカバーするためのベースボード。
【請求項２】
前記第１の輪郭（４）及び前記第２の輪郭（５）が前記第１の端部領域（２）において同じ側に湾曲及び／又は屈曲している、請求項１記載のベースボード。
【請求項３】
前記輪郭（４，５）の少なくとも一方が、装飾ストリップ（７）を受容するための少なくとも１つのアンダカット（６）を有する、請求項１又は２記載のベースボード。
【請求項４】
ベースボード、特に請求項１から３までのいずれか１項記載のベースボードのための接続部材であって、該接続部材（１０）が少なくとも片側に、前記ベースボード（１）との接続のために、該ベースボード（１）に重畳する張出し部（１１）を備える接続領域（１５）を有する形式のものにおいて、前記張出し部（１１）に保持ピン（１３）が対向して位置しており、前記ベースボード（１）が専ら該ベースボード（１）の端部領域（２，３）で前記張出し部（１１）と前記保持ピン（１３）との間にクランプされて保持可能であることを特徴とする、ベースボードのための接続部材。
【請求項５】
前記保持ピン（１３）が上下に配置されている、請求項４記載の接続部材。
【請求項６】
前記張出し部（１１）と前記保持ピン（１３）との間に少なくとも１つのストッパ面（１４）が設けられている、請求項４又は５記載の接続部材。
【請求項７】
前記張出し部（１１）が前記ベースボード（１）に完全に重畳可能である、請求項４から６までのいずれか１項記載の接続部材。
【請求項８】
該接続部材（１０）が２つの接続領域（１５）を有しており、両接続領域（１５）が有利には互いに一列に又は直角に配列されている、請求項４から７までのいずれか１項記載の接続部材。
【請求項９】
請求項４の上位概念部に記載の接続部材において、該接続部材（１０）が、壁に固定可能なクリップボード（１７）の形態で形成されており、前記ベースボード（１）が端部領域（２，３）にアンダカット（１６）を有しており、該アンダカット（１６）が、前記クリップボード（１７）の接続領域に合致するように形成されており、該接続領域の一方が、対称点（８）を中心として１８０°回転させると、他方の接続領域に相当することを特徴とする、接続部材。
【発明の詳細な説明】
【技術分野】
【０００１】
本発明は、被覆材（Ｂｅｌａｇ）の縁をカバーするためのベースボード（Ｓｏｃｋｅｌｌｅｉｓｔｅ）であって、該ベースボードが、第１の輪郭及び該第１の輪郭とは反対側に位置する第２の輪郭を備える横断面を有する形式のものに関する。さらに本発明は、ベースボードのための接続部材であって、該接続部材が少なくとも片側に、前記ベースボードとの接続のために、該ベースボードに重畳する張出し部を備える接続領域を有する形式のものに関する。
【背景技術】
【０００２】
ＤＥ２０２００４４６Ｕ１から公知のベースボードは、可視の外側の輪郭と、遮蔽される内側の輪郭とを有する。両輪郭は互いに反対側に位置しており、第１の輪郭のみが重要である。このベースボードは、被覆材の縁をカバーするために役立ち、実際の使用で有用であることが証明されている。この公知のベースボードが本発明の出発点である。
【０００３】
ＤＥ１０２００５０１１４３９Ａ１から、ベースボードとして形成されている、シール機能を備える装飾プロフィール体が公知である。このプロフィール体は、その端部領域において非点対称に形成されているので、端部領域に係合する保持手段は、異なる回転位置においてプロフィール体を把持し、保持することができない。このため、唯一の輪郭がカバーシールドとして使用可能である。
【０００４】
ＤＥ２０２０６９８４Ｕ１から、堅固な材料コア及びプラスチックジャケットを備えるコアベースボードが公知である。これにより、堅固なコアは、端部領域まで延在していないので、このコアベースボードの、専ら端部領域で係合する保持手段を介した保持は、不可能である。さらにこのコアベースボードは、端部領域で、弾性的な構成に起因して、点対称な構造が生じないほどに変形する。
【０００５】
ＤＥ１８７８５７６Ｕから、やはり端部領域で非対称的に形成されているフロアボードが公知である。このフロアボードの固定は、フロアボードの中間の領域に一体成形されているアンダカットされたウェブにより実施される。これにより、１８０°回転させた取付けは不可能である。
【０００６】
ＤＥ６９０１９１５Ｕから、支持リブを有する、フロアボードのための接続部材が公知である。支持リブは、取り付けたいベースボードを、その高さにわたって分配された３つの箇所で把持し、こうしてベースボードの間隙のない載置を保証する。しかし、これにより、ベースボードの輪郭は、狭い限度内で予め決められているので、ベースボードは、１８０°回転させた位置で取り付けることができない。
【先行技術文献】
【特許文献】
【０００７】
【特許文献１】ＤＥ２０２００４４６Ｕ１
【特許文献２】ＤＥ１０２００５０１１４３９Ａ１
【特許文献３】ＤＥ２０２０６９８４Ｕ１
【特許文献４】ＤＥ１８７８５７６Ｕ
【特許文献５】ＤＥ６９０１９１５Ｕ
【発明の概要】
【発明が解決しようとする課題】
【０００８】
本発明の課題は、冒頭で述べた形式のベースボードを改良して、より汎用に使用可能なベースボードを提供することである。
【課題を解決するための手段】
【０００９】
上記課題を解決するために本発明に係るベースボードでは、前記横断面の第１の端部領域における第１の輪郭が、対称点を中心として１８０°回転させると、第２の端部領域における第２の輪郭に相当し、前記横断面の第１の端部領域における第２の輪郭が、対称点を中心として１８０°回転させると、第２の端部領域における第１の輪郭に相当するようにした。
【００１０】
本発明の有利な形態は従属請求項に係る発明である。
【００１１】
好ましくは、前記第１の輪郭及び前記第２の輪郭が前記第１の端部領域において同じ側に湾曲及び／又は屈曲している。
【００１２】
好ましくは、前記輪郭の少なくとも一方が、装飾ストリップを受容するための少なくとも１つのアンダカットを有する。
【００１３】
さらに上記課題を解決するために本発明に係るベースボードのための接続部材では、前記張出し部に保持ピンが対向して位置しており、前記ベースボードが専ら該ベースボードの端部領域で前記張出し部と前記保持ピンとの間にクランプされて保持可能であるようにした。
【００１４】
本発明の有利な形態は従属請求項に係る発明である。
【００１５】
好ましくは、前記保持ピンが上下に配置されている。
【００１６】
好ましくは、前記張出し部と前記保持ピンとの間に少なくとも１つのストッパ面が設けられている。
【００１７】
好ましくは、前記張出し部が前記ベースボードに完全に重畳可能である。
【００１８】
好ましくは、該接続部材が２つの接続領域を有しており、両接続領域が有利には互いに一列に又は直角に配列されている。
【００１９】
さらに上記課題を解決するために本発明に係るベースボードのための接続部材では、該接続部材が、壁に固定可能なクリップボードの形態で形成されており、前記ベースボードが端部領域にアンダカットを有しており、該アンダカットが、前記クリップボードの接続領域に合致するように形成されており、該接続領域の一方が、対称点を中心として１８０°回転させると、他方の接続領域に相当するようにした。
【発明の効果】
【００２０】
請求項１に係るベースボードは、被覆材の縁をカバーするために役立つ。その他に、ベースボードは任意に、例えばケーブルダクトの実現等の別の課題を充足することもできる。ベースボードは、第１の輪郭及び第１の輪郭とは反対側に位置する第２の輪郭を備える横断面を有する。取り付けられた位置で、両輪郭の一方は外側にあり、他方は内側にある。ベースボードのより汎用な使用可能性のために、横断面は対称点を有しており、対称点を中心にベースボードは、１８０°回転させて取り付けることができる。こうして、取付け位置に応じて、あるときは第１の輪郭がベースボードの外面を形成し、またあるときは第２の輪郭がベースボードの外面を形成する。両輪郭は、それぞれ異なって構成されていてもよく、その結果、２つの異なる態様が唯一のベースボードによって実現可能である。このことは、工具コスト及び保管コストを削減する。このベースボードを両位置で相応の接続部材に取り付けることができるように、両輪郭は部分的に対称的に形成されていなければならない。輪郭の中間領域は、ベースボードの可視面を形成し、有利には両輪郭で異なって構成される。中間領域にベースボードは、反転させた位置で視覚的な印象を損ねることになるとの理由から、有利には保持手段を有しない。しかし、ベースボードは、限定的に互いに回転対称に形成されている２つの端部領域を有する。端部領域は、有利には輪郭のそれぞれの端部から輪郭全長の少なくとも１０％にわたって延在する。横断面の第１の端部領域における第１の輪郭は、対称点を中心として１８０°回転させると、第２の端部領域における第２の輪郭に相当する。さらに横断面の第１の端部領域における第２の輪郭は、対称点を中心として１８０°回転させると、第２の端部領域における第１の輪郭に相当する。ベースボード全体を回転点を中心として回転させると、回転された位置及び回転されていない位置において、端部領域における横断面は合同である。この特別な対称により、ベースボードは、両端部領域間の中間の領域におけるそれぞれ異なる構成にもかかわらず、通常の位置及び回転された位置で取付け可能であることが達成される。有利には、取付け手段は、ベースボードをベースボードの両端部領域でのみ把持する。こうして、回転されていない位置においても、１８０°回転された位置においても、ベースボードの確実な把持が生じる。中間の領域における両輪郭のそれぞれ異なる形態により、それぞれ異なる視覚的な印象が、唯一のベースボードによって達成され得る。
【００２１】
ベースボードは、被覆材の縁を正しく架橋することができるように、被覆材の方向で所定の延在長さを有していなければならない。それにもかかわらずベースボードの中間の領域にはほぼ鉛直な可視面を実現することができるように、請求項２に係る発明において、第１の輪郭及び第２の輪郭が第１の端部領域において同じ側に湾曲あるいは屈曲していると有利である。こうして、ベースボードは、一方では被覆材における面の揃った成端を提供し、他方では隣接する壁における面の揃った成端を提供する。
【００２２】
ベースボードの金属的な外観の他に、しばしば装飾ストリップ（Ｄｅｋｏｒｓｔｒｅｉｆｅｎ）が使用される。装飾ストリップは有利には被覆材と同じ材料からなる。この種の装飾ストリップをベースボードに装着し、ベースボードに保持することができるように、請求項３に係る発明では、ベースボードの輪郭の少なくとも一方が、少なくとも１つのアンダカットを有する。このアンダカット内に、装飾ストリップが簡単に押し込まれ、ベースボードに保持され得る。
【００２３】
ベースボードを取り付けるためには、請求項４に係る接続部材が有効である。この接続部材は、例えばエンドピースであることができ、ベースボードの端部に取り付けられて、ベースボードを完結する。この種のエンドピースは、例えばドアにおいて必要とされる。接続部材は、少なくとも片側に、ベースボードが接続部材に結合され得る接続領域を有する。この接続領域は、ベースボードに重畳する張出し部を有している。こうして、ベースボードの端部は、接続部材によりカバーされている。このことは、ベースボードの長さが一般に空間的な条件に、鋸により切り落とされることによって適合されなければならないために重要である。切断面は不規則であり、部分的にバリを有する。この種の不規則性は、上から係合した張出し部によりカバーされるので、ベースボードは接続部材と相俟って、完璧な視覚的な印象を残す。ベースボードを接続部材に保持するために、張出し部に保持ピンが対向して位置しており、ベースボードが張出し部と保持ピンとの間にクランプされて保持可能である。請求項１から３に係るベースボードが使用される場合、例えばベースボードの第１の輪郭が張出し部に接触し、第２の輪郭が保持ピンに接触するか、又は第１の輪郭が保持ピンに接触し、第２の輪郭が張出し部に接触する。有利には、保持ピンは専ら接続領域の端部領域に設けられており、その結果、ベースボードの対称的な端部領域のみが把持される。これにより、接続部材内へのベースボードの、１８０°回転した状態での挿入が問題なく可能である。
【００２４】
ベースボードを簡単に回転させることができるように、請求項５に係る発明では、保持ピンが上下に配置されていると有利である。こうして、保持ピンの完全に対称的な構造が生じ、このことは構造を簡単にする。
【００２５】
接続部材へのベースボードの間隙のない当接を達成するために、請求項６に係る発明では、張出し部と保持ピンとの間に少なくとも１つのストッパが設けられていると有利である。
【００２６】
ベースボードと接続部材の全体的な視覚的な印象を改善するために、請求項７に係る発明では、張出し部がベースボードに完全に重畳可能であると有利である。これにより、ベースボードの切断面は完全にカバーされる。
【００２７】
請求項８に係る発明では、接続部材が２つの接続領域を有しており、両接続領域が有利には互いに一列に又は直角に配列されていると有利である。両接続領域が一列に配列されている場合、複数のベースボードを端面で互いに突き合わせて一列に接続することが可能な延長ピースが生じる。このことは、被覆材の縁をカバーするのに、標準的なベースボードの長さでは不十分であるような大きな部屋での敷設にとって重要である。択一的には、接続領域が互いに直角に配向されており、外角継手（Ａｕｓｓｅｎｅｃｋ−Ｖｅｒｂｉｎｄｕｎｇ）及び内角継手（Ｉｎｎｅｎｅｃｋ−Ｖｅｒｂｉｎｄｕｎｇ）が実現可能である。こうして、ベースボードは、部屋内のすべての条件に、切断面が可視となることなく適合可能である。特に、こうして、極めて困難に実施されなければならない留継ぎ用の切削を行う必要がなくなる。
【００２８】
択一的又は付加的には、ベースボードのための接続部材は、クリップボード（Ｃｌｉｐｌｅｉｓｔｅ）の形態で形成されていてもよい。このクリップボードは壁に固定可能である。ベースボードはベースボードの端部領域にアンダカットを有しており、アンダカットは、クリップボードの接続領域に合致するように形成されている。これにより、ベースボードは直接、取り付けられたクリップボードにクリップ留め可能である。さらに、アンダカットは、対称点を中心として１８０°を回転させたときに対応するようになっているので、ベースボードは、回転させた形でもクリップ留め可能である。
【００２９】
本発明の対象について例示的に図面を参照しながら説明する。ただし、権利範囲を限定するものではない。
【図面の簡単な説明】
【００３０】
【図１】ベースボードの立体図である。
【図２】図１に示したベースボードのフロント面を、回転されていない位置及び回転された位置で示す図である。
【図３】ベースボードを片側で接続するための接続部材を示す図である。
【図４】延長部材としての接続部材を示す図である。
【図５】外角部材を示す図である。
【図６】内角部材を示す図である。
【図７】クリップボードを備えるベースボードを示す図である。
【発明を実施するための形態】
【００３１】
図１は、ベースボード１の立体図である。ベースボード１は、第１の端部領域２と、この第１の端部領域２とは反対側に位置する第２の端部領域３とを有する。また、ベースボード１は、互いに反対側に位置する第１の輪郭４及び第２の輪郭５を有する。そのうち第２の輪郭５は、２つのアンダカット６を有しており、２つのアンダカットは、装飾ストリップ７を受容するために役立つ。装飾ストリップ７は、原則的には任意に形成されていてよいが、ベースボード１により縁側がカバーされる被覆材の一片が用いられるのが有利である。こうして、ベースボード１の外観は被覆材に適合される。
【００３２】
次に図２を参照しながら説明する。ベースボード１の横断面は対称点８を有しており、対称点８を中心に、ベースボード１は１８０°回転可能である。このために、ベースボード１の、第１の端部領域２における第１の輪郭４は、１８０°回転した位置にある、第２の端部領域３における第２の輪郭５に相当する。さらに、第１の端部領域２における第２の輪郭５は、１８０°回転した位置にある、第２の端部領域３における第１の輪郭４に相当する。常に対称点８は回転点として役立つ。この構成により、ベースボード１は、前記回転にかかわらず両端部領域２，３において合同であることが達成され、このことは、破線により概略的に示されている。それゆえ、この端部領域２，３において、ベースボード１は支障なく両回転位置で保持可能である。したがって、別個のベースボード１を用意する必要なく、１つの同じベースボード１で、あるときは第１の輪郭４を外に向け、またあるときは第２の輪郭５を外に向けることができる。
【００３３】
図３は、図１に示したベースボード１のための接続部材１０の立体図である。この接続部材１０は張出し部１１を有する。張出し部１１の内側の輪郭１２は、ベースボード１の第１の輪郭４に対応する。張出し部１１は、ベースボード１に完全に重畳するので、ベースボード１の、一般にはのこ引き面である端面は、不可視である。
【００３４】
ベースボード１を接続部材１０内に保持するために、接続部材１０は、２つの保持ピン１３を有する。ベースボード１は、両保持ピン１３と張出し部１１との間にクランプされて保持される。保持ピン１３と張出し部１１との間の間隔は、ベースボード１が両部材１１，１３間で締め付けられて把持されているように寸法設定されている。
【００３５】
両保持ピン１３は、上下に、かつベースボード１の第１あるいは第２の端部領域２，３だけが把持されるような位置に存在する。それゆえ、両端部領域２，３間の中間の領域におけるベースボード１の種々異なる輪郭は、接続部材１０におけるベースボード１の保持機能にとって意味をなさない。これにより、接続部材１０は、ベースボード１を１８０°回転させた位置でも把持することができる。
【００３６】
さらに接続部材１０は、ベースボード１が間隙なく当接可能なストッパ面１４を有する。ストッパ面１４は、接続部材１０がベースボード１に沿って移動するスライド運動を制限する。
【００３７】
張出し部１１は、保持ピン１３及びストッパ面１４と共に、ベースボード１と結合するための接続領域１５を形成する。
【００３８】
図４は、接続部材１０の択一的な実施の形態を示す。同じ符号は同じ部材を指す。以下に、図３に示した実施の形態との相違についてのみ説明する。
【００３９】
この接続部材１０は、実質的に同じ構造の、互いに一列に並んだ２つの接続領域１５を有する。これにより、この接続部材１０には、両側からそれぞれ１つのベースボード１が差し嵌められることができ、両ベースボード１は互いに一列に整列させられる。この接続部材１０は、ベースボード１を延長するために役立つ。
【００４０】
図５は、図４に示した接続部材１０の択一的な実施の形態を示す。同じ符号は同じ部材を指す。以下に、図４に示した実施の形態との相違についてのみ説明する。
【００４１】
図５に示した実施の形態では、両接続領域１５が互いに９０°回転した位置にある。こうして外角継手が生じる。つまり、この接続領域１５に接続可能なベースボード１は、空間側から見て、２７０°の角度を形成する。
【００４２】
図６は、図５に示した接続部材１０の別の択一的な実施の形態を示す。やはり同じ符号は同じ部材を指す。
【００４３】
この実施の形態でも、接続領域１５は互いに９０°回転した位置にあるが、配置は、図５に示した実施の形態とは正反対である。これにより、この接続部材１０は内角継手を形成するので、接続部材１０に接続可能なベースボード１は、空間側から見て、９０°の角度を形成する。
【００４４】
最後に図７は、図１に示した実施の形態に対して補足的に、両端部領域２，３に付加的なアンダカット１６を有するベースボード１を示す。このアンダカット１６は、図示しない壁に固定可能なクリップボード１７のアンダカットに対応する。有利には、クリップボード１７は壁に接着及び／又は螺設される。クリップボード１７は、クリップボード１７を弾性的なものとするばね部位１８を有する。このことは、ベースボード１の取付けを単純なクリップ留めにより容易にする。ベースボード１のアンダカット１６は、回転させた形でのベースボード１の取付けを可能にするために、対称点８を中心に１８０°回転対称に成形されている。
【符号の説明】
【００４５】
１  ベースボード
２  第１の端部領域
３  第２の端部領域
４  第１の輪郭
５  第２の輪郭
６  アンダカット
７  装飾ストリップ
８  対称点
１０  接続部材
１１  張出し部
１２  内側の輪郭
１３  保持ピン
１４  ストッパ面
１５  接続領域
１６  アンダカット
１７  クリップボード
１８  ばね部位
【図１】
2010112165.tif 000003
【図２】
2010112165.tif 000004
【図３】
2010112165.tif 000005
【図４】
2010112165.tif 000006
【図５】
2010112165.tif 000007
【図６】
2010112165.tif 000008
【図７】
2010112165.tif 000009